(57)【要約】【課題】装着が容易で、かつ堅固で密閉性が高い印象材カートリッジのミキシングチップ連結構造の提供。【解決手段】上部連結板、射出口を有する連結用ソケット、回転連結ホームを有するミキシングチップ連結端部から構成された印象材カートリッジと、内部にミキシングスクリューが装着されたミキシングチューブ、キャップ部、連結用羽部、連結管が形成された連結用コネクターから構成されたミキシングチップの連結構造において、ミキシングチップの連結用羽部には回転係止突起が形成され、回転係止突起には、半円筒形ガイドピンが形成され、印象材カートリッジのミキシングチップ上部連結板には、ミキシングチップ連結案内板が形成され、ミキシングチップ連結案内板には、ガイドピン挿入用直線部とガイドピン案内用曲線部とガイドピン連結ホームがそれぞれ形成されている。【選択図】図４
2011125676.tif 000002
【特許請求の範囲】
【請求項１】
下端部が連結用フランジ（２）によって連結された一対のシリンダー（３）（４）の上端部中央に設けられた上部連結板（５）、及び
前記上部連結板（５）の上面に突出するように設けられ、シリンダー（３）（４）にそれぞれ連通する射出口（６ａ）（６ｂ）を有する連結用ソケット（６）、及び
前記上部連結板（５）の両側に、互いに対向されるように設置され、内側下部に回転連結ホーム（７ａ）（８ａ）を有するミキシングチップ連結端部（７）（８）、
から構成された印象材カートリッジ（１）と、
中央部に突出するように設けられ、内部にミキシングスクリュー（１４）が装着されたミキシングチューブ（１５）、及び
前記ミキシングチューブ（１５）の下端部に設けられたキャップ部（１８）、及び
前記キャップ部（１８）の下端部両側に突出するように設けられ、前記印象材カートリッジ（１）のミキシングチップ連結端部（７）（８）の回転連結ホーム（７ａ）（８ａ）に回転連結することができる連結用羽部（１６）（１７）、及び
前記キャップ部（１８）の内側に設けられ、前記印象材カートリッジ（１）の連結用ソケット（６）に形成された射出口（６ａ）（６ｂ）に連結することができる連結管（１９ａ）（１９ｂ）が下向きに突出するように形成された連結用コネクター（１９）、
から構成されたミキシングチップ（１３）と、の連結構造において、
前記ミキシングチップ（１３）のキャップ部（１８）に形成された連結用羽部（１６）（１７）の先端部側面には、前記連結用羽部（１６）（１７）が前記印象材カートリッジ（１）の回転連結ホーム（７ａ）（８ａ）に回転連結する時に、前記ミキシングチップ連結端部（７）（８）の側面を係止する回転係止突起（（１６ａ）（１７ａ）が対角対称を成すようにそれぞれ形成され、
前記回転係止突起（１６ａ）（１７ａ）の一面には、前記ミキシングチップ（１３）の連結方向を案内する半円筒形ガイドピン（１６ｂ）（１７ｂ）が下向きに突出するように形成され、
前記印象材カートリッジ（１）に形成された上部連結板（５）の上部には、ミキシングチップ連結用案内板（９）が突出するように形成され、
前記ミキシングチップ連結案内板（９）の両側の面には、ガイドピン挿入用直線部（１０ａ）（１０ｂ）とガイドピン案内曲線部（１１ａ）（１１ｂ）とガイドピンホーム（１２ａ）（１２ｂ）が対角対称を成すようにそれぞれ形成されることを特徴とする印象材カートリッジのミキシングチップ連結構造。
【請求項２】
前記印象材カートリッジ（１）の連結用ソケット（６）に形成される射出口（６ａ）（６ｂ）の上部の内周面は、下部ほど内径が小さくなるテーパー形状に形成され、
前記ミックシングチップ（１３）のギャップ（１８）の内側に挿入設置される連結用コネクター（１９）の連結管（１９ａ）（１９ｂ）は、下部ほど管の肉厚が薄くなるように形成されたことを特徴とする請求項１に記載の印象材カートリッジのミキシングチップ連結構造。
【発明の詳細な説明】
【技術分野】
【０００１】
本発明は、印象材カートリッジのミキシングチップ連結構造に関し、より詳しくは、印象材カートリッジに連結されるミキシングチップの連結方向にかかわらず、容易に連結することができ、印象材の漏出が防止できる印象材カートリッジのミキシングチップ連結構造に関する。
【背景技術】
【０００２】
通常、歯科では、歯の印象を得るために液状シリコーンベースに硬化剤を混合して速やかに硬化させる歯科用印象材が広く用いられている。このような歯科用印象材は、利便性を考慮して、液状シリコーンベースと硬化剤を同時に射出できるように、液状シリコーンベース及び硬化剤をそれぞれ貯蔵するシリンダーが備えられたカートリッジ形態となっている。そして、使用時には、カートリッジの先端部分に２液を混合するためのミキシングチップを装着して、用いられるのが一般的である（特許文献１）。
【０００３】
従来の印象材カートリッジは、図１〜３に示すように、下端部に連結用フランジ（２２）で繋がれたシリンダー（２３）（２４）が備えられ、シリンダー（２３）（２４）の上端部中央には上部連結板（２５）が設けられ、上部連結板（２５）にはシリンダー（２３）（２４）にそれぞれ連通する射出口（２３ａ）（２４ａ）が突出するように形成されている。また、上部連結板（２５）の両側には、内側下部に回転連結ホーム（２７ａ）（２８ａ）がそれぞれ形成されたミキシングチップ連結端部（２７）（２８）が互いに対向するように設けられ、ミキシングチップ連結端部（２７）の上端中央部には位置合わせ部材（２７ｂ）が備えられている。
【０００４】
上記構成の従来の印象材カートリッジ（２１）には、使用時、シリンダー（２３）（２４）から同時に射出されるシリコーンベースと硬化剤を混合するために、
ミキシングチップ（３０）が連結される。ミキシングチップ（３０）には、印象材カートリッジ（２１）のミキシングチップ連結端部（２７）（２８）の回転連結ホーム（２７ａ）（２８ａ）に回転連結させるための連結用羽部（３２）（３３）が備えられ、連結用羽部（３２）（３３）の内周部には、位置合わせ用突起（３１ａ）とミキシングチューブ（３４）が形成された挿入管部（３５）とを有するキャップ部（３１）が具備されている。また、ミキシングチップ（３０）の挿入管部（３５）の内側には、ミキシングチューブ（３４）が形成され、ミキシングチューブ（３４）の内部には、ミキシングスクリュー（３７）が挿入され、ミキシングチップ（３０）のキャップ部（３１）下部には、印象材カートリッジ（２１）の射出口（２３ａ）（２４ａ）にそれぞれ連結される連結管（３８）（３９）が下向きに突き出して形成された連結用コネクター（３６）が設置されている。
【０００５】
図２（Ａ）、（Ｂ）に、従来の印象材カートリッジ（２１）とミキシングチップ（３０）の連結状態を示す。ミキシングチップ（３０）の印象材カートリッジ（２１）への装着は、ミキシングチップ（３０）のキャップ部（３１）に設けられた位置合わせ用突起（３１ａ）を印象材カートリッジ（２１）のミキシングチップ連結端部（２７）に形成された位置合わせホーム（２７ｂ）に嵌め合わせ、ミキシングチップ（３０）を印象材カートリッジ（２１）の上部連結板（２５）上に載せ、ミキシングチップ（３０）を時計方向に回転させることで行う。ミキシングチップ（３０）のキャップ部（３１）の下端部両側に形成された連結用羽部（３２）（３３）は、印象材カートリッジ（２１）のミキシングチップ連結端部（２７）（２８）の回転連結ホーム（２７ａ）（２８ａ）に挟まれるように固定される。
【０００６】
しかし、このような従来の印象材カートリッジとミキシングチップの連結構造は、連結の際に必ず、ミキシングチップ（３０）のキャップ部（３１）に設けられた位置合わせ用突起（３１ａ）と印象材カートリッジ（２１）のミキシングチップ連結端部（２７）に形成された位置合わせホーム（２７ｂ）を定められた方向に嵌め合わせて連結しなければならないという不便さがあった。
【０００７】
また、従来の印象材カートリッジとミキシングチップの連結構造は、印象材カートリッジ（２１）の上部連結板（２５）の両側に対向して設置されるミキシングチップ連結端部（２７）（２８）の幅がそれぞれ異なるため、印象材カートリッジ（２１）のミキシングチップ連結端部（２７）（２８）とミキシングチップ（３０）の連結用羽部（３２）（３３）の接触面積に差が生じ、印象材カートリッジ（２１）に過剰な射出圧力が加えられた場合、接触面積が小さく密閉性の劣る側から印象材の漏出が発生するという問題点があった。
さらにまた、従来の印象材カートリッジとミキシングチップの連結構造は、図３のように、印象材カートリッジ（２１）へのミキシングチップ（３０）の装着の際に、印象材カートリッジ（２１）に設けられた射出口（２３ａ）（２４ａ）にミキシングチップ（３０）の連結管（３８）（３９）をそれぞれ挿入するが、射出口（２３ａ）（２４ａ）の内側面と連結管（３８）（３９）の外側面との間にどうしても微細な隙間が発生してしまうことがある。そのため、印象材カートリッジ（２１）に過剰な射出圧力がかけられた時に、この隙間から印象材が漏出するという問題が発生していた。
【０００８】
そして、従来の印象材カートリッジとミキシングチップの連結構造は、ミキシングチップ（３０）の連結用羽部（３２）（３３）と、印象材カートリッジ（２１）の回転連結ホーム（２７ａ）（２８ａ）でのみで固定しているため、使用時にミキシングチップ（３０）に衝撃が加わると、連結が容易に外れてしまい、印象材が漏出する問題点もあった。
【先行技術文献】
【特許文献】
【０００９】
【特許文献１】特開平０８−２０７９４２号公報
【発明の概要】
【発明が解決しようとする課題】
【００１０】
本発明は、ミキシングチップを装着して用いる印象材カートリッジにおいて、
ミキシングチップの装着が容易で、かつ堅固で密閉性が高く、印象材の漏出を防止できる印象材カートリッジのミキシングチップ連結構造を提供することを目的とする。
【課題を解決するための手段】
【００１１】
上記のような目的を達成するために導き出された本発明は、下端部が連結用フランジによって連結された一対のシリンダーの上端部中央に設けられた上部連結板、該上部連結板の上面に突出するように設けられ、シリンダーにそれぞれ連通する射出口を有する連結用ソケット、上部連結板の両側に、互いに対向されるように設置され、内側下部に回転連結ホームを有するミキシングチップ連結端部、から構成された印象材カートリッジと、中央部に突出するように設けられ、内部にミキシングスクリューが装着されたミキシングチューブ、該ミキシングチューブの下端部に設けられたキャップ部、該キャップ部の下端部両側に突出するように設けられ、印象材カートリッジのミキシングチップ連結端部の回転連結ホームに回転連結することができる連結用羽部、キャップ部の内側に設けられ、印象材カートリッジの連結用ソケットに形成された射出口に連結することができる連結管が下向きに突出するように形成された連結用コネクター、から構成されたミキシングチップと、の連結構造において、ミキシングチップのキャップ部に形成された連結用羽部の先端部側面には、連結用羽部が印象材カートリッジの回転連結ホームに回転連結する時に、ミキシングチップ連結端部の側面を係止する回転係止突起が対角対称を成すようにそれぞれ形成され、回転係止突起の一面には、ミキシングチップの連結方向を案内する半円筒形ガイドピンが下向きに突出するように形成され、印象材カートリッジのミキシングチップ上部連結板の上部には、ミキシングチップ連結案内板が形成され、ミキシングチップ連結案内板の両側面には、ガイドピン挿入用直線部とガイドピン案内用曲線部とガイドピン連結ホームが対角対称を成すようにそれぞれ形成されていることを特徴とする。
【００１２】
また、本発明は、印象材カートリッジの連結用ソケットに形成される射出口の上部内周面が、下部ほど内径が小さいテーパー状に形成され、ミキシングチップのキャップ部の内側に設けられた連結用コネクターの連結管が、下部ほど管の肉厚が薄くなるように形成されているのが好ましい。
【発明の効果】
【００１３】
前記のように構成される本発明に係る印象材カートリッジのミキシングチップ連結構造は、ミキシングチップの向きにかかわらず、ミキシングチップを印象材カートリッジに容易に連結することができるため使い勝手が良く、強固な連結状態を維持しかつ連結部の密閉性に優れるので、印象材の漏出を防止することができる。
【図面の簡単な説明】
【００１４】
【図１】従来の印象材カートリッジとミキシングチップが分離した状態を表す透視図。
【図２】（Ａ）（Ｂ）従来の印象材カートリッジとミキシングチップの連結状態を表す平面図。
【図３】従来の印象材カートリッジとミキシングチップの連結状態を表す断面図。
【図４】本発明に係る印象材カートリッジとミキシングチップが分離した状態を表す透視図。
【図５】（Ａ）（Ｂ）本発明に係る印象材カートリッジとミキシングチップを表す平面図。
【図６】（Ａ）（Ｂ）本発明に係る印象材カートリッジとミキシングチップの連結状態を表す平面図。
【図７】本発明に係る印象材カートリッジとミキシングチップの連結状態を表す断面図。
【発明を実施するための形態】
【００１５】
以下、本発明を図４〜７を参照して詳述する。図４は、本発明に係る印象材カートリッジとミキシングチップが分離した状態を表す透視図であり、図５は、本発明に係る印象材カートリッジとミキシングチップを表す平面図であり、図６は、本発明に係る印象材カートリッジとミキシングチップの連結状態を表す平面図であり、図７は、本発明に係る印象材カートリッジとミキシングチップの連結状態を表す断面図である。
本発明に係る印象材カートリッジ（１）は、図４、図５（Ａ）に示すように、下端部が連結用フランジ（２）によって繋がれるシリンダー（３）（４）の上端部中央に設けられる上部連結板（５）と、該上部連結板（５）の上部に突出するように設けられ、シリンダー（３）（４）に連通する射出口（６ａ）（６ｂ）を有する連結用ソケット（６）と、上部連結板（５）の両側に互いに対向するように設けられ、回転連結ホーム（７ａ）（８ａ）を有するミキシングチップ連結端部（７）（８）と、上部連結板（５）上部に突出するように設けられ、両側面にガイドピン挿入用直線部（１０ａ）（１０ｂ）とガイドピン案内用曲線部（１１ａ）（１１ｂ）とガイドピン連結ホーム（１２ａ）（１２ｂ）がそれぞれ対角対称を成すように形成されたミキシングチップ連結用案内板（９）とから構成される。
【００１６】
一方、本発明に係るミキシングチップ（１３）は、図４、図５（Ｂ）に示すように、ミキシングチップ（１３）の上部中央に突出するように設けられ、内部にミキシングスクリュー（１４）が装着されているミキシングチューブ（１５）と、該ミキシングチューブ（１５）の下部に設けられ、その下端部両側に突出するように設けられた連結用羽部（１６）（１７）を有するキャップ部（１８）と、該キャップ部（１８）の連結用羽部（１６）（１７）の末端部分に対角対称を成すように設けられた回転係止突起（１６ａ）（１７ａ）と、該回転係止突起（１６ａ）（１７ａ）の一面に下向きに突出するように設けられ、ミキシングチップ（１３）の連結方向を案内する半円筒形ガイドピン（１６ｂ）（１７ｂ）と、キャップ部（１８）の内側に設けられ、印象材カートリッジ（１）の連結用ソケット（６）に形成された射出口（６ａ）（６ｂ）にそれぞれ連結される連結管（１９ａ）（１９ｂ）が下向きに突出するように形成された連結用コネクター（１９）とから構成される。
【００１７】
本発明に係る印象材カートリッジ（１）において、上部連結板（５）の両側にお互いに対向されるように設置される２つのミキシングチップ連結端部（７）（８）は、どちらの幅も同じ幅にしておくことが望ましい。
２つのミキシングチップ連結端部（７）（８）が同じ幅であることで、印象材カートリッジ（１）のミキシングチップ連結端部（７）（８）とミキシングチップ（１３）の連結用羽部（１６）（１７）が等しい接触面積によって連結されるため、ミキシングチップ（１３）の両側に形成された連結用羽部（１６）（１７）はどちらも同等の密閉性を有することとなり、印象材カートリッジ（１）に過剰な射出圧力が加えられた時の片漏れを防止できる。
【００１８】
また、印象材カートリッジ（１）の連結用ソケット（６）に形成される射出口（６ａ）（６ｂ）は、上部より下部の内径が小さいテーパー状であることが望ましく、ミキシングチップ（１３）の連結管（１９ａ）（１９ｂ）は、連結先端部ほど管の肉厚を薄くすることが望ましい。
射出口（６ａ）（６ｂ）上部の内周面をテーパー状とし、連結管の先端部の肉厚を薄くすることで、ミキシングチップ（１３）の連結管（１９ａ）（１９ｂ）を射出口（６ａ）（６ｂ）に挿入する際に、挿入が容易になるばかりでなく、連結管と射出口の密着性が高まり、射出口の内側面と連結管の外側面との間の微細な隙間が生じにくくなり、印象材カートリッジ（１）に過剰な射出圧力がかかった場合に、連結管と射出口の隙間から印象材が漏出することを防止できる。
【００１９】
次に、本発明の印象材カートリッジ（１）とミキシングチップ（１３）の連結状態について詳述する。
本発明において、印象材カートリッジ（１）とミキシングチップ（１３）の連結は、図６の（Ａ）に示すように、ミキシングチップ（１３）の下端部両側に形成された連結用羽部（１６）（１７）の末端に対角対称を成すように形成された回転係止突起（１６ａ）（１７ａ）の一面に形成される半円筒形ガイドピン（１６ｂ）（１７ｂ）が、印象材カートリッジ（１）のミキシングチップ連結用案内板（９）の両側面に形成されたガイドピン挿入用直線部（１０ａ）（１０ｂ）によって、上部連結板（５）の上部両側に形成される空間にそれぞれ挿入されることでなされる。
【００２０】
印象材カートリッジとミキシングチップの連結においては、ミキシングチップ（１３）の連結用羽部（１６）（１７）を、印象材カートリッジ（１）のミキシングチップ連結端部（７）（８）の間に位置するように装入すれば、ミキシングチップ（１３）の半円筒形ガイドピン（１６ｂ）（１７ｂ）が、印象材カートリッジ（１）のミキシングチップ結合用案内板（９）の両側面に形成されたガイドピン挿入用直線部（１０ａ）（１０ｂ）の案内で、上部連結板（５）の上部両側に形成される空間に挿入されるので、簡単にミキシングチップを印象材カートリッジ（１）の上部連結板（５）に嵌め合わすことができる。
【００２１】
次に、印象材カートリッジ（１）の上部連結板（５）に嵌め合わせたミキシングチップ（１３）を時計方向に回すことで、図６の（Ｂ）に示すように、ミキシングチップ（１３）の連結用羽部（１６）（１７）が、印象材カートリッジ（１）の回転連結ホーム（７ａ）（８ａ）に連結される。そして、ミキシングチップ（１３）の半円筒形ガイドピン（１６ｂ）（１７ｂ）は、ミキシングチップ連結用案内板（９）の両側面に形成されたガイドピン挿入用曲線部（１１ａ）（１１ｂ）に案内され、ガイドピン連結ホーム（１２ａ）（１２ｂ）に連結される。
【００２２】
この時、印象材カートリッジ（１）とミキシングチップ（１３）は、連結用羽部（１６）（１７）と回転連結ホーム（７ａ）（８ａ）の連結と同時に、半円筒形ガイドピン（１６ｂ）（１７ｂ）とガイドピン連結ホーム（１２ａ）（１２ｂ）も連結し、堅固で安定した連結状態を維持することができるようになるので、使用時のミキシングチップ（１３）脱落よる印象材漏出を効果的に防止することができる。
【００２３】
本発明による印象材カートリッジとミキシングチップ連結構造によれば、ミキシングチップ（１３）の向きにかかわらず印象材カートリッジ（１）に容易に連結することができ、使い勝手が著しく向上するばかりでなく、堅固で安定した連結状態を維持することができるようになるので、印象材の漏出を防止することができる。
【符号の説明】
【００２４】
１  ・・・印象材カートリッジ
２  ・・・連結用フランジ
３、４  ・・・シリンダー
５  ・・・上部連結板
６  ・・・連結用ソケット
６ａ、６ｂ  ・・・射出口
７、８  ・・・ミキシングチップ連結段部
７ａ、８ｂ  ・・・回転連結ホーム
９  ・・・ミキシングチップ連結用案内板
１０ａ、１０ｂ  ・・・ガイドピン挿入用直線部
１１ａ、１１ｂ  ・・・ガイドピン案内用曲線部
１２ａ、１２ｂ  ・・・ガイドピン連結ホーム
１３  ・・・ミキシングチップ
１４  ・・・ミキシングスクリュー
１５  ・・・ミキシングチューブ
１６、１７  ・・・連結用羽部
１６ａ、１７ａ  ・・・回転係止突起
１６ｂ、１７ｂ  ・・・ガイドピン
１８  ・・・キャップ部
１９  ・・・連結用コネクター
１９ａ、１９ｂ  ・・・連結管
【図１】
2011125676.tif 000003
【図２】
2011125676.tif 000004
【図３】
2011125676.tif 000005
【図４】
2011125676.tif 000006
【図５】
2011125676.tif 000007
【図６】
2011125676.tif 000008
【図７】
2011125676.tif 000009